(57)【要約】      （修正有）【課題】ケース内に端子が配置される端子部において、ケース内に液体が侵入した場合に端子と液体が接触するおそれを少なくすること。【解決手段】排水弁駆動装置は、排水弁駆動部材であるワイヤを駆動するモータ（ギアードモータ）を備える。ギアードモータは、駆動源であるモータ部に給電するための端子部５０を備える。端子部５０は、端子６０と、端子６０を保持する端子保持部５２と、端子保持部５２を覆う端子収容部５１を備える。端子収容部は外側ケースの一部を構成する。端子保持部５２と端子収容部５１との間（すなわち、端子保持部５２と外側ケースとの間）には、端子収容部５１に設けられた開口２１７と連通する排水用の隙間Ｇが設けられている。端子保持部５２に掛かった液体は、隙間Ｇを伝って開口２１７から排出される。【選択図】図８
2018026938.tif 000002
【特許請求の範囲】
【請求項１】
端子と、前記端子が保持される端子保持部と、前記端子保持部を覆う外側ケースとを有し、
前記端子保持部と前記外側ケースとの間に、前記外側ケースに設けられた開口と連通する排水用の隙間が設けられていることを特徴とする端子部。
【請求項２】
前記端子保持部は、前記端子が取り付けられる端子取り付け部を複数備えており、
隣り合う前記端子取り付け部の間に凹部または凸部が設けられていることを特徴とする請求項１に記載の端子部。
【請求項３】
前記外側ケースは、前記開口を補強する補強部を備えることを特徴とする請求項１または２に記載の端子部。
【請求項４】
前記補強部は、前記端子保持部を支持することを特徴とする請求項３に記載の端子部。
【請求項５】
前記端子保持部は水抜き孔を備え、
前記補強部は、前記水抜き孔が前記端子保持部を貫通する方向に見た場合に前記水抜き孔と重なる貫通部を備えることを特徴とする請求項４に記載の端子部。
【請求項６】
前記補強部は、前記開口に架け渡される２つの補強板と、前記２つの補強板を連結する連結部とを備え、
前記貫通部は、前記２つの補強板の隙間であることを特徴とする請求項５に記載の端子部。
【請求項７】
前記端子保持部は水抜き孔を備えることを特徴とする請求項１から４の何れか一項に記載の端子部。
【請求項８】
前記端子保持部は、前記端子が挿入される端子挿入口と、前記端子挿入口に向けて前記端子を案内する端子案内部を備えることを特徴とする請求項１から７の何れか一項に記載の端子部。
【請求項９】
前記端子保持部は、コイルが巻き回されるコイルボビンと一体に成型されていることを特徴とする請求項１から８の何れか一項に記載の端子部。
【請求項１０】
前記端子保持部は、前記コイルボビンを介して前記外側ケースと固定されていることを特徴とする請求項９に記載の端子部。
【請求項１１】
前記端子保持部は、前記端子を覆う端子カバーを備えることを特徴とする請求項９または１０に記載の端子部。
【請求項１２】
前記端子カバーの上面に段差があることを特徴とする請求項１１に記載の端子部。
【請求項１３】
前記端子カバーは、前記コイルボビンのフランジ部と繋がっており、前記フランジ部との間に段差があることを特徴とする請求項１１または１２に記載の端子部。
【請求項１４】
請求項１から１３の何れか一項に記載の端子部と、前記外側ケースに収容され前記端子を介して給電されるコイルとを有することを特徴とするモータ。
【請求項１５】
請求項１４に記載のモータと、前記モータによって駆動される排水弁駆動部材と、を有
することを特徴とする排水弁駆動装置。
【発明の詳細な説明】
【技術分野】
【０００１】
本発明は、端子をケース内で保持する端子部、およびこの種の端子部を備えるモータおよび排水弁駆動装置に関する。
【背景技術】
【０００２】
洗濯機等の排水弁を駆動するために、モータの駆動力を伝達輪列により出力部材に伝達するギアードモータが用いられている。この種のギアードモータは、ロータおよびステータを備えるモータと、伝達輪列と、モータおよび伝達輪列を収容するケースを備える。伝達輪列の出力ギアの回転に基づき、ケースの外部に配置される出力部材が駆動され、排水弁が駆動される。特許文献１には、この種のギアードモータを備える排水弁駆動装置が開示されている。
【先行技術文献】
【特許文献】
【０００３】
【特許文献１】特開２０１６−２９９９３号公報
【発明の概要】
【発明が解決しようとする課題】
【０００４】
特許文献１では、モータのコイルへ給電するための端子はケース内で保持されており、端子の先端は、ケースの側面に設けられたコネクタ部に配置される。このように、端子がケース内で保持される構造において、ケースの継ぎ目などから水等の液体が内部に侵入すると、侵入した液体が端子に到達するおそれがある。例えば、端子保持部材に液体が溜まって端子に液体が接触するおそれがある。このような状態で端子に通電すると、液体が溜まった箇所で放電し火花が発生するおそれがある。そして、このような火花の発生は、様々な悪影響を及ぼすおそれがある。
【０００５】
本発明の課題は、このような点に鑑みて、ケース内に端子が配置される端子部において、ケース内に液体が侵入した場合に端子と液体が接触するおそれを少なくして通電時の火花の発生を抑制することにある。
【課題を解決するための手段】
【０００６】
上記課題を解決するために、本発明の端子部は、端子と、前記端子が保持される端子保持部と、前記端子保持部を覆う外側ケースとを有し、前記端子保持部と前記外側ケースとの間に、前記外側ケースに設けられた開口と連通する排水用の隙間が設けられていることを特徴とする。
【０００７】
本発明によれば、外側ケースの繋ぎ目から侵入した液体を排水用の隙間からケース外に排出することができる。従って、端子と液体との接触を抑制できる。よって、通電時に火花が発生するおそれを少なくすることができる。
【０００８】
本発明において、前記端子保持部は、前記端子が取り付けられる端子取り付け部を複数備えており、隣り合う前記端子取り付け部の間に凹部または凸部が設けられていることが望ましい。このようにすると、端子と端子の距離を大きくすることができるので、端子間の短絡が発生するおそれを少なくすることができる。また、端子取り付け部間に凹部や凸部などの高さの異なる部分を設けることで、端子取り付け部間に掛かった液体が端子と接触するおそれを少なくすることができる。
【０００９】
本発明において、前記外側ケースは、前記開口を補強する補強部を備えることが望ましい。このようにすると、開口が設けられた部分の強度を確保できる。従って、端子との接続用のコネクタを開口に着脱する際に、ケースに負担がかかるおそれを少なくすることができる。
【００１０】
本発明において、前記補強部は、前記端子保持部を支持することが望ましい。このようにすると、補強部によって端子保持部の位置決めを行うとともに、端子との接続用のコネクタを開口に着脱する際に、端子保持部に負担がかかるおそれを少なくすることができる。
【００１１】
本発明において、前記端子保持部は水抜き孔を備えることが望ましい。このようにすると、端子保持部に掛かった水を水抜き孔から排出できる。
【００１２】
また、本発明において、前記端子保持部は水抜き孔を備え、前記補強部は、前記水抜き孔が前記端子保持部を貫通する方向に見た場合に前記水抜き孔と重なる貫通部を備えることが望ましい。例えば、前記補強部は、前記開口に架け渡される２つの補強板と、前記２つの補強板を連結する連結部とを備え、前記貫通部は、前記２つの補強板の隙間であることが望ましい。このように、補強部に隙間を設けたことによって、水抜き孔へ流入した液体を容易に排出できる。
【００１３】
本発明において、前記端子保持部は、前記端子が挿入される端子挿入口と、前記端子挿入口に向けて前記端子を案内する端子案内部を備えることが望ましい。このようにすると、端子保持部に端子を取り付ける際の端子の損傷を抑制できる。また、端子の取り付け作業が容易である。
【００１４】
本発明において、前記端子保持部は、コイルが巻き回されるコイルボビンと一体に成型されていることが望ましい。このようにすると、コイルおよび端子部を備える装置を構成する場合に、装置の組立を容易に行うことができる。
【００１５】
本発明において、前記端子保持部は、前記コイルボビンを介して前記外側ケースと固定されていることが望ましい。このようにすると、コイルボビンを固定する際の取り付け誤差を排水用の隙間の範囲内で吸収できる。従って、組立時の位置決めが容易である。
【００１６】
本発明において、前記端子保持部は、前記端子を覆う端子カバーを備えることが望ましい。このようにすると、端子カバーによって端子保持部に掛かった液体と端子との接触を抑制できる。
【００１７】
本発明において、前記端子カバーの上面に段差があることが望ましい。このようにすると、端子カバーの上に液体が貯まることを抑制できる。
【００１８】
本発明において、前記端子カバーは、前記コイルボビンのフランジ部と繋がっており、前記フランジ部との間に段差があることが望ましい。このようにすると、コイルボビン側への液体の侵入を抑制できる。
【００１９】
本発明において、前記端子保持部は、水抜き孔を備えることが望ましい。このようにすると、端子保持部に掛かった水を水抜き孔から排出できる。
【００２０】
次に、本発明のモータは、上記の端子部と、前記外側ケースに収容され前記端子を介して給電されるコイルとを有することを特徴とする。
【００２１】
また、本発明の排水弁駆動装置は、上記のモータと、前記モータによって駆動される排水弁駆動部材と、を有することを特徴とする。
【発明の効果】
【００２２】
本発明の端子部によれば、外側ケースの繋ぎ目から侵入した液体を排水用の隙間からケース外に排出することができる。従って、端子と液体との接触を抑制できる。よって、通電時に火花が発生するおそれを少なくすることができる。
【図面の簡単な説明】
【００２３】
【図１】本発明を適用した排水弁駆動装置の斜視図である。
【図２】本発明を適用した排水弁駆動装置の分解斜視図である。
【図３】第２ケースを取り外したギアードモータを＋Ｚ方向側から見た分解斜視図である。
【図４】第２ケースを取り外したギアードモータを−Ｚ方向側から見た分解斜視図である。
【図５】モータの分解斜視図である。
【図６】コイルボビン、ボビンケース、および端子の分解斜視図である。
【図７】第１ケースおよびモータ部の平面図である。
【図８】端子部の断面斜視図である。
【図９】第１ケースおよびモータ部の断面図である。
【発明を実施するための形態】
【００２４】
（全体構成）
以下に、本発明を適用した端子部、モータ、および排水弁駆動装置の実施形態を説明する。図１は本発明を適用した排水弁駆動装置の斜視図であり、図２は本発明を適用した排水弁駆動装置の分解斜視図である。排水弁駆動装置１は、図示しない排水弁を駆動するための排水弁駆動部材であるワイヤ１０と、ワイヤ１０の一端が固定されるプーリ１１と、プーリ１１を回転させてワイヤ１０を巻き取るギアードモータ２を備える。ギアードモータ２は、外側ケース２０と、外側ケース２０に収容されるモータ部３０と、モータ部３０の駆動力をプーリ１１に伝達する伝達輪列４０を備える。
【００２５】
伝達輪列４０は、外側ケース２０に形成された開口に配置される出力ピニオン４１を備える。出力ピニオン４１は、外側ケース２０の外部に配置されるプーリ１１と噛み合っている。プーリ１１は、固定ねじ１４によって出力ピニオン４１の中心に形成されたねじ孔にねじ止めされる。外側ケース２０には、プーリ１１を覆う被覆ケース１２が取り付けられる。被覆ケース１２は、３本の固定ねじ１３によって外側ケース２０に固定される。
【００２６】
伝達輪列４０は、ロータピニオン（図示省略）と、遊星歯車機構４２と、減速ギア列４３と、出力ギア４４を備える。詳細は省略するが、伝達輪列４０は、モータ部３０の駆動力をこの順で伝達する。出力ピニオン４１は、出力ギア４４の中心に同軸に取り付けられ、出力ギア４４と一体に回転する。従って、排水弁駆動部材であるワイヤ１０は、出力ギア４４の回転に基づいて駆動される。
【００２７】
排水弁駆動装置１は、ワイヤ１０がプーリ１１に所定量巻き取られた状態で、駆動源であるモータ部３０への通電を継続して、プーリ１１を巻き取り位置で保持する。これにより、ワイヤ１０に連結された排水弁の弁体が排水口から離れた位置で保持される。また、排水弁駆動装置１は、モータ部３０への通電を停止してプーリ１１の保持状態を解除する。これにより、外力によりワイヤ１０を引き出すことが可能になる。例えば、排水弁の弁体に連結されたばね力等の付勢力によってワイヤ１０が引き出されると、弁体によって排水口が閉鎖される。
【００２８】
本明細書では、プーリ１１の回転軸線方向を第３方向Ｚとし、第３方向Ｚと直交する２方向を第１方向Ｘ、第２方向Ｙとする。また、第１方向Ｘの一方側を＋Ｘ方向、他方側を−Ｘ方向とし、第２方向Ｙの一方側を＋Ｙ方向、他方側を−Ｙ方向とし、第３方向Ｚの一方側を＋Ｚ方向、他方側を−Ｚ方向とする。排水弁駆動装置は、＋Ｚ方向が上方、−Ｚ方向が下方を向く姿勢で配置される。
【００２９】
排水弁駆動装置１は、ギアードモータ２のモータ部３０に給電するための端子部５０を備える。端子部５０は、外側ケース２０の側面に形成される端子収容部５１と、端子収容部５１の内側に配置される端子保持部５２と、端子保持部５２に保持される端子６０を備える。端子収容部５１は、外側ケース２０の側面から外側（＋Ｙ方向）に張り出している。端子保持部５２は、モータ部３０の一部を構成するコイルボビン３３およびボビンケース３６（図５、図６等参照）と一体に形成されている。つまり、本形態の排水弁駆動装置１において、外側ケース２０、コイルボビン３３およびボビンケース３６、および端子６０は、端子部５０を備える端子部付きユニットを構成する。端子部５０の詳細は後述する。
【００３０】
（ケース）
外側ケース２０は、第３方向Ｚに２分割される。外側ケース２０は、−Ｚ方向側の分割ケースである第１ケース２１と、＋Ｚ方向側の分割ケースである第２ケース２２を備える。モータ部３０および伝達輪列４０は、プーリ１１と噛み合う出力ピニオン４１を除き、第１ケース２１と第２ケース２２の間に収容される。第１ケース２１は、底板２１１と、底板２１１の外周縁から＋Ｚ方向に立ち上がる側板２１２を備える。第２ケース２２は、底板２１１と第３方向Ｚに対向する上板２２１と、上板２２１の外周縁から−Ｚ方向に延びる側板２２２を備える。側板２１２、２２２は外側ケース２０の側面を構成する。
【００３１】
図３、図４は第２ケース２２を取り外したギアードモータ２の分解斜視図であり、図３は＋Ｚ方向側から見た分解斜視図、図４は−Ｚ方向側から見た分解斜視図である。図３に示すように、第１ケース２１の底板２１１は、円形凹部２１３と、円形凹部２１３を挟んで反対側に位置する２箇所に形成された位置決めピン２１４を備える。位置決めピン２１４は、底板２１１から＋Ｚ方向に突出する。
【００３２】
図１、図２に示すように、端子収容部５１は、第１ケース２１の側板２１２から＋Ｙ方向に張り出す第１張り出し部２１５と、第２ケース２２の側板２２２から＋Ｙ方向に張り出す第２張り出し部２２３によって構成される。端子収容部５１は、第３方向Ｚに見た場合に略矩形の平面形状である。第１張り出し部２１５は第３方向Ｚに延びており、第１方向Ｘの両側の側面に係合突起２１６（図４参照）が形成されている。第２張り出し部２２３の第１方向Ｘの両側の縁には、−Ｚ方向に突出するフック２２４が形成されている。フック２２４と係合突起２１６を係合させて第１ケース２１と第２ケース２２を組み付けると、第２張り出し部２２３によって第１張り出し部２１５の＋Ｚ方向の端部が塞がれる。
【００３３】
図３、図４に示すように、第１張り出し部２１５は、＋Ｙ方向を向く第１側板２１５ａと、＋Ｘ方向を向く第２側板２１５ｂと、−Ｘ方向を向く第３側板２１５ｃを備える。図４に示すように、第１張り出し部２１５の−Ｚ方向側の端部には略矩形の開口２１７が設けられている。端子収容部５１は、開口２１７を補強する補強部２１８を備える。補強部２１８は、開口２１７の中央に架け渡されている。補強部２１８の一端は第１側板２１５ａと繋がっており、補強部２１８の他端は底板２１１と繋がっている。補強部２１８は、第２方向Ｙに直線状に延在する２枚の補強板２１８ａ、２１８ｂと、補強板２１８ａ、２１８ｂを第２方向Ｙの中央で連結する連結部２１８ｂを備える。補強板２１８ａ、２１８ｂは第３方向Ｚに所定の長さを有する板状の部材であり、第１方向Ｘに所定の隙間を開け
て配置されている。従って、補強板２１８ａ、２１８ｂの間には、補強部２１８を第３方向Ｚに貫通する貫通部２１９が形成されている。貫通部２１９は、連結部２１８ｂの第２方向Ｙの両側に形成されている。
【００３４】
（モータ部）
図５はモータ部３０の分解斜視図である。モータ部３０は、カップ状のモータケース３１と、モータケース３１の＋Ｚ方向側の端部に取り付けられるカバープレート３２と、円環状のコイルボビン３３と、コイルボビン３３に巻回されるステータコイル３４（図６、図９参照）と、コイルボビン３３の内周側に配置されるロータ３５と、モータケース３１の内側に配置され、コイルボビン３３およびステータコイル３４を収容するボビンケース３６を備える。
【００３５】
図６はコイルボビン３３、ボビンケース３６、および端子６０の分解斜視図である。コイルボビン３３およびボビンケース３６は樹脂製である。コイルボビン３３は、ステータコイル３４が巻き回される胴部３３１と、胴部３３１の−Ｚ方向の端部に形成されるフランジ部３３２と、胴部３３１の＋Ｚ方向の端部に形成されるフランジ部３３３を備える。コイルボビン３３には、円環状のフランジ部３３３の外周縁から＋Ｙ方向に突出する端子カバー５４が一体に形成されている。端子カバー５４には、端子６０の基端部６１を覆う被覆部５４１が第１方向Ｘに２つ並んで形成されている。また、端子カバー５４には、＋Ｘ方向の側面から突出する絡げピン５４９が形成されている。絡げピン５４９は、ステータコイル３４から引き出されるコイル線を絡げるために用いられる。
【００３６】
ボビンケース３６は、コイルボビン３３の外周側を囲む筒状部３６１と、筒状部３６１の−Ｚ方向の端部と繋がる環状部３６２を備える。ボビンケース３６には、筒状部３６１の＋Ｚ方向の縁から＋Ｙ方向に突出する端子台５３が一体に形成されている。端子台５３には、端子６０を保持する端子取り付け部５３１が第１方向Ｘに２つ並んで形成されている。端子台５３は、コイルボビン３３に形成された端子カバー５４と共に、２個の端子６０を保持する端子保持部５２を構成する。端子台５３において、２箇所の端子取り付け部５３１のそれぞれには、＋Ｚ方向を向く上端面５３ｄが形成されている。また、上端面５３ｄの外周縁に沿って全周に傾斜面５３ｅが形成されている。傾斜面５３ｅは、後述する端子台５３の側面５３ａ、５３ｂ、５３ｃと上端面５３ｄとを繋ぐ角部に形成されており、端子保持部５２と第１ケース２１に設けられた第１張り出し部２１５との隙間Ｇに向けて傾斜する。また、図４に示すように、２箇所の端子取り付け部５３１のそれぞれは、−Ｚ方向に開口する開口５３２を備える。
【００３７】
図６に示すように、端子６０は、略平面状の基端部６１と、基端部６１の第１方向Ｘの中央から−Ｚ方向に屈曲して延びるコイル線接続部６２と、基端部６１から＋Ｙ方向に延びる連結部６３と、連結部６３の−Ｘ方向の縁から−Ｚ方向に屈曲して延びるコネクタ接続部６４を備える。端子６０は、被覆部５４１に基端部６１を挿入することによってコイルボビン３３に取り付けられる。コイルボビン３３をボビンケース３６に組み付けると、端子６０のコネクタ接続部６４が端子台５３の端子取り付け部５３１に挿入される。
【００３８】
図７は第１ケース２１およびモータ部３０の平面図である。また、図８は端子部の断面斜視図（図７のＡ−Ａ位置の断面斜視図）であり、図９は第１ケースおよびモータ部の断面斜視図（図７のＢ−Ｂ位置の断面斜視図）である。図４、図８に示すように、コネクタ接続部６４の先端は、端子取り付け部５３１の−Ｚ方向の先端に設けられた開口５３２内に位置する。モータ部３０が外側ケース２０に組み付けられると、端子取り付け部５３１の開口５３２は、端子収容部５１に形成された開口２１７内に位置する。従って、コネクタ接続部６４の先端は、開口５３２から外部に露出する。端子部５０には、開口２１７側から外部電源に接続されたコネクタ（図示省略）が装着される。これにより、外部電源側
の端子と端子６０とを接触させることができる。
【００３９】
モータ部３０を組み立てる際には、図５に示すように、ステータコイル３４が巻回されたコイルボビン３３とボビンケース３６とを組み付けて端子６０を取り付けた組立体を形成する。しかる後に、この組立体をロータ３５が組み付けられたモータケース３１の内側に嵌め込み、モータケース３１にカバープレート３２を組み付けて第１ケース２１に固定する。モータケース３１は、第１ケース２１に形成された端子収容部５１と対向する位置（＋Ｙ方向の縁）を切り欠いた切り欠き３１１を備える。また、カバープレート３２は、モータケース３１の切り欠き３１１と対応する位置を直線状に切り欠いた切り欠き３２３を備える。切り欠き３１１、３２３には、端子保持部５２（ボビンケース３６に形成された端子台５３およびコイルボビン３３に形成された端子カバー５４）が配置される。
【００４０】
カバープレート３２は、モータケース３１と略同一径の円板部３２１を備える。円板部３２１の中央には、ロータ３５が配置される貫通穴３２２が形成されている。また、円板部３２１の外縁には、径方向外側へ突出する固定部３２４が１８０度離れた２箇所に形成されている。固定部３２４には、上述した第１ケース２１の位置決めピン２１４を挿入可能な位置決め孔３２５が形成されている。カバープレート３２は、モータケース３１の上端縁に形成された切り欠き３１２に固定部３２４を嵌合させることによってモータケース３１に組み付けられる。図７に示すように、モータ部３０は、カバープレート３２の位置決め孔３２５と第１ケース２１の位置決めピン２１４を介して、第１ケース２１内に位置決めされる。
【００４１】
モータケース３１およびカバープレート３２は磁性板からなる。図５に示すように、カバープレート３２には、ロータ３５が配置される貫通穴３２２の縁から−Ｚ方向に屈曲して延びる極歯３２６が形成されている。また、モータケース３１には、モータケース３１の底部を切り起こして＋Ｚ方向に屈曲させた極歯３１３が形成されている。カバープレート３２に設けられた極歯３２６とモータケース３１から切り起こされた極歯３１３は周方向に交互に配列され、ロータ３５に設けられたマグネット３５２の外周面と径方向に対向する。すなわち、モータケース３１およびカバープレート３２はステータコアを兼ねている。
【００４２】
カバープレート３２には、伝達輪列４０を構成する歯車を回転可能に支持する複数の固定軸の−Ｚ方向の端部が圧入される。これらの固定軸の＋Ｚ方向の端部は、第２ケース２２に圧入等によって固定される。ロータ３５の中央には、ロータ３５を回転可能に支持する固定軸３５１が配置される。固定軸３５１は第３方向Ｚに延在する。固定軸３５１の一端はモータケース３１に圧入等によって固定され、固定軸３５１の他端は第２ケース２２に圧入等によって固定される。
【００４３】
図９に示すように、ロータ３５は、略円筒状のマグネット３５２と、マグネット３５２の内周側に配置される誘導回転体３５３と、誘導回転体３５３の内周側に配置される軸部３５４を備える。軸部３５４は樹脂製であり、マグネット３５２は軸部３５４に固定される。また、軸部３５４の中央に固定軸３５１が取り付けられている。また、軸部３５４の先端にはクラッチ爪が形成されている。クラッチ爪は、図示しないロータピニオンとの接続を継断するクラッチ機構を構成する。誘導回転体３５３は、非磁性金属からなる円筒状の金属部３５３ａと、金属部３５３ａの内周側に設けられた樹脂部３５３ｂを備える。ロータ３５が回転すると、マグネット３５２と金属部３５３ａとの間に磁気誘導力が生じる。誘導回転体３５３とロータ３５は、この磁気誘導力によって共回りする。
【００４４】
（端子部の排水構造）
本形態では、端子保持部５２は外側ケース２０の端子収容部５１によって外側から覆わ
れており、端子保持部５２と外側ケース２０との間には排水用の隙間Ｇが設けられている。より詳しく説明すると、図７に示すように、端子保持部５２は端子台５３を備えており、端子台５３の外周側は、第１ケース２１に設けられた第１張り出し部２１５によって３方向から囲まれている。図３、図５に示すように、端子台５３は、＋Ｙ方向を向く第１側面５３ａと、＋Ｘ方向を向く第２側面５３ｂと、−Ｘ方向を向く第３側面５３ｃを備える。また、上述したように、第１張り出し部２１５は、第１側板２１５ａ、第２側板２１５ｂ、第３側板２１５ｃを備える。
【００４５】
図７に示すように、モータ部３０を第１ケース２１に取り付けると、第１側板２１５ａは端子台５３の第１側面５３ａに沿って延在する。また、第２側板２１５ｂは端子台５３の第２側面５３ｂに沿って延在し、第３側板２１５ｃは端子台５３の第３側面５３ｃに沿って延在する。第１側板２１５ａと第１側面５３ａの間には、排水用の隙間Ｇが形成される（図９参照）。また、第２側板２１５ｂと第２側面５３ｂの間、および第３側板２１５ｃと第３側面５３ｃの間にも排水用の隙間Ｇが形成される（図８参照）。つまり、端子台５３と第１張り出し部２１５の間には、＋Ｙ方向、＋Ｘ方向、−Ｘ方向の３方向の全てに隙間Ｇが形成されている。
【００４６】
第１張り出し部２１５は、−Ｚ方向の端部で開口する開口２１７（図４参照）を備えており、上記の３方向の隙間Ｇは開口２１７と連通する。また、上述したように、端子保持部５２の外周縁には、端子台５３の上端面５３ｄの外周縁に沿って全周に傾斜面５３ｅが形成され、傾斜面５３ｅは隙間Ｇに向けて傾斜する。従って、第１ケース２１と第２ケース２２の間に水などの液体が侵入して端子保持部５２に掛かったとき、液体は隙間Ｇに向けて流れる。よって、隙間Ｇから液体を排出することができる。
【００４７】
次に、ボビンケース３６と一体に形成された端子台５３の排水構造について説明する。図６〜図９等に示すように、端子台５３には、隣り合う端子取り付け部５３１を繋ぐ連結部５３３が形成されている。連結部５３３は、端子取付部５３１の上端面５３ｄに対して−Ｚ方向に凹む凹形状である。このような連結部５３３を設けると、端子台５３に掛かった液体は、端子取り付け部５３１から連結部５３３に流れ落ちるので、端子取り付け部５３１の上に溜まって端子６０と接触するおそれが少ない。また、連結部５３３には部材の位置決めのための位置決め孔５３９が形成されている。図９に示すように、位置決め孔５３９は端子台５３を第３方向Ｚに貫通する。つまり、位置決め孔５３９は、連結部５３３に溜まった液体を排出する水抜き穴として機能する。
【００４８】
図８、図９に示すように、連結部５３３は、開口２１７に設けられた補強部２１８によって−Ｚ方向側から支持される。すなわち、端子保持部５２は、端子台５３の連結部５３３が補強部２１８と当接することによって第３方向Ｚに位置決めされる。従って、端子保持部５２は、補強部２１８を介して、第１ケース２１の第１張り出し部２１５によって−Ｚ方向側から支持される。また、連結部５３３に形成された位置決め孔５３９は、補強部２１８に設けられた貫通部２１９と第３方向Ｚに重なる位置に配置される。このため、補強部２１８は、位置決め孔５３９が水抜き孔として機能するとき、位置決め孔５３９から排出される液体を貫通部２１９からスムーズに排出することができる。
【００４９】
また、図６に示すように、端子台５３は、端子取り付け部５３１とボビンケース３６の筒状部３６１の縁とを繋ぐ連結部５３４を備えており、連結部５３４と端子取り付け部５３１との間には、＋Ｚ方向に突出するリブ５３５が形成されている。従って、端子取り付け部５３１に掛かった液体が、連結部５３４からボビンケース３６の筒状部３６１の側へ侵入するおそれが少ない。さらに、連結部５３４は、筒状部３６１の縁に沿って円弧状に延在する平らな部分と、この円弧状部分の径方向外側に形成された凹部を備えており、凹部の底には貫通孔５３６が形成されている。従って、連結部５３４に掛かった液体は、凹
部へ流れ落ちて貫通孔５３６から−Ｚ方向へ排出されるので、連結部５３４の上に液体が溜まって筒状部３６１の側へ侵入するおそれが少ない。
【００５０】
端子取り付け部５３１の上端面５３ｄの中央には、端子６０のコネクタ接続部６４が挿入される端子挿入口５３７が形成されている。端子挿入口５３７は第２方向Ｙに延在する。端子挿入口５３７の第１方向Ｘの両側には、端子挿入口５３７の縁に沿って第２方向Ｙに延在する端子案内部５３８が形成されている。端子案内部５３８は、端子挿入口５３７に向かって傾斜する傾斜面を備える。コネクタ接続部６４は、端子挿入口５３７へ挿入されるときには、端子案内部５３８の傾斜面に両側から案内されて端子挿入口５３７へ挿入される。
【００５１】
続いて、コイルボビン３３と一体に形成された端子カバー５４の排水構造について説明する。図６に示すように、端子カバー５４の上面（＋Ｚ方向を向く面）には段差が設けられている。具体的には、端子６０の基端部６１が装着される２箇所の被覆部５４１は、いずれもコイルボビン３３のフランジ部３３３よりも＋Ｚ方向に突出しているが、隣り合う被覆部５４１の間には、被覆部５４１よりも−Ｚ方向に凹む凹部５４２が設けられている。また、凹部５４２とフランジ部３３３との間には、＋Ｚ方向に突出するリブ５４３が形成されている。リブ５４３は、被覆部５４１と同様に、フランジ部３３３よりも＋Ｚ方向に突出している。このように、端子カバー５４の上面に凹部５４２が設けられていれば、端子６０を覆う被覆部５４１の上面に掛かった水が被覆部５４１の上に溜まらずに凹部５４２へ流れ落ちる。また、リブ５４３によって凹部５４２へ流れ落ちた液体がフランジ部３３３側へ侵入することを妨げることができる。
【００５２】
端子カバー５４の＋Ｙ方向の縁において、２箇所の被覆部５４１の間には、−Ｙ方向に凹んだ溝部５４４が形成されている。溝部５４４は、上述した端子台５３の貫通孔５３６と第３方向Ｚに重なっている。従って、端子カバー５４に掛かった液体が溝部５４４に流れ落ちた場合には、その−Ｚ方向に位置する貫通孔５３６を通って排出される。
【００５３】
本願出願人は、本形態の端子部５０を備える排水弁駆動装置１を試作し、端子部５０の水抜き性を確認した。その結果、端子６０付近に液体が掛かった場合に、端子保持部５２と外側ケース２０との隙間Ｇを伝わって液体が排出されることが確認された。また、モータ部３０を第１ケース２１へ組み込む際の位置決め作業が容易化されることが確認された。
【００５４】
（本発明の主な作用効果）
以上のように、本形態の排水弁駆動装置１は、排水弁駆動部材であるワイヤ１０を駆動するモータ（ギアードモータ２）を備える。ギアードモータ２は、駆動源であるモータ部３０と、伝達輪列４０と、モータ部３０に給電するための端子部５０を備える。端子部５０は、端子６０と、端子６０を保持する端子保持部５２と、端子保持部５２を覆う端子収容部５１を備える。本形態では、端子収容部５１は外側ケース２０の一部を構成する。端子保持部５２と端子収容部５１との間（すなわち、端子保持部５２と外側ケース２０との間）には、端子収容部５１に設けられた開口２１７と連通する排水用の隙間Ｇが設けられている。
【００５５】
本形態の端子部５０は、このような構成により、外側ケース２０の繋ぎ目などからケース内に侵入した液体を排水用の隙間Ｇからケース外に排出できる。よって、端子６０と液体との接触を抑制できる。これにより、通電時の火花の発生を抑制することができ、火花の発生に起因する不都合を抑制できる。例えば、火花の熱によって高温となった樹脂が融解して端子保持部や端子が脱落するおそれを少なくすることができる。また、樹脂の劣化により、端子保持部の変形や破損が発生するおそれを少なくすることができる。さらに、
火花によって端子保持部を形成する樹脂が炭化し、短絡経路となるトラックが形成されて端子間の短絡が発生するおそれを少なくすることができる。
【００５６】
本形態では、排水用の隙間Ｇは、端子保持部５２の外周のうち、外側ケース２０に面する全ての方向に設けられる。具体的には、端子台５３の外周面のうち、＋Ｙ方向、＋Ｘ方向、−Ｘ方向を向く第１側面５３ａ、第２側面５３ｂ、第３側面５３ｃの全てに沿って隙間Ｇが設けられる。従って、これらの３方向のどの方向に液体が流れても排出でき、液体と端子６０との接触を抑制できる。なお、これらの３方向のうち、いずれか１方向あるいは２方向にのみ隙間Ｇを設けても良い。例えば、＋Ｘ方向と−Ｘ方向を向く第２側面５３ｂと第３側面５３ｃに沿って隙間Ｇを設けても良い。また、端子取り付け部５３１の上端面５３ｄの外周縁に沿って全周に傾斜面５３ｅが形成されているので、端子取り付け部５３１に掛かった液体を隙間Ｇに向けて流すことができる。従って、液体をスムーズに排出できる。
【００５７】
本形態の端子保持部５２は、複数の端子６０を保持しており、端子間に液体との接触に起因する短絡経路（トラック）ができにくい構造になっている。具体的には、隣り合う端子取り付け部５３１の間に連結部５３３が設けられている。このように、端子取り付け部５３１が連結部５３３によって隔てられていれば、端子間の距離を大きくすることができる。従って、端子間の短絡経路をできにくくすることができる。また、本形態の連結部５３３は凹部であるが、凹部の代わりに凸部を設けてもよい。このように、端子６０が取り付けられる部位の間に凹部や凸部などの段差を設けることにより、端子間が短絡する経路ができにくくなる。従って、トラッキング（火花等によって形成されたトラックによる端子間の短絡）が発生するおそれを少なくすることができる。
【００５８】
本形態の外側ケース２０は、排水用の隙間Ｇと連通する開口２１７に補強部２１８が設けられている。このようにすると、開口２１７が設けられた部位の強度を確保できる。すなわち、本形態では、第１ケース２１に設けられた第１張り出し部２１５の強度を確保できる。従って、外部電源等と接続されるコネクタを開口２１７から端子部５０に着脱する際に、部材のたわみが発生するおそれを少なくすることができる。よって、開口２１７が設けられた部位に負担がかかるおそれを少なくすることができる。また、端子保持部５２は、開口２１７に設けられた補強部２１８によって−Ｚ方向側から支持される。従って、コネクタの着脱の際に、端子保持部５２に負担がかかるおそれを少なくすることができる。また、モータ部３０を第１ケース２１に組み付ける際に、補強部２１８によって端子保持部５２の第３方向Ｚの位置決めを行うことができる。
【００５９】
本形態の端子保持部５２は、端子挿入口５３７に向けて端子６０を案内する端子案内部５３８を備える。端子案内部５３８には、端子挿入口５３７へ向かう傾斜面が設けられている。このような傾斜面に沿って端子６０の先端を案内することにより、端子取り付け部５３１に端子６０を取り付ける際の端子６０の損傷を抑制できる。また、端子６０の取り付け作業が容易である。
【００６０】
本形態では、端子保持部５２の一部、具体的には端子カバー５４がコイルボビン３３と一体に成型されている。従って、コイルボビン３３とステータコイル３４を備えるモータ部３０、およびモータ部３０に給電する端子部５０を備えた装置（本形態では、ギアードモータ２および排水弁駆動装置１）を構成する際に、コイルボビン３３を他部材と組み付ける作業によって同時に端子保持部５２を組み付けることができる。従って、装置の組立を容易に行うことができる。なお、端子保持部５２の全体をコイルボビン３３、あるいはボビンケース３６と一体に形成することもできる。
【００６１】
本形態の端子保持部５２は、コイルボビン３３を介して外側ケース２０と固定されてい
る。具体的には、端子保持部５２は、コイルボビン３３に設けられた端子カバー５４、および、ボビンケース３６に設けられた端子台５３を備えているが、コイルボビン３３およびボビンケース３６は、モータケース３１とカバープレート３２の間に組み付けられた組立体（すなわち、モータ部３０）の状態で、カバープレート３２を介して第１ケース２１に固定される。このような固定方法では、外側ケース２０と端子保持部５２との隙間Ｇの範囲内で、第１ケース２１に対するモータ部３０の組み付け誤差を吸収することができる。従って、モータ部３０を第１ケース２１に組み付ける際の位置決めが容易である。
【００６２】
本形態の端子保持部５２は、端子６０の基端部６１を覆う端子カバー５４を備えるため、端子保持部５２に掛かる液体と端子６０との接触を抑制できる。また、端子カバー５４の上面には段差（凹部５４２等）があるため、端子カバー５４の上に液体が貯まることを抑制できる。さらに、端子カバー５４は、コイルボビン３３のフランジ部３３３と繋がっているが、フランジ部３３３との間に段差がある部分を有する。具体的には、端子カバー５４は２箇所の被覆部５４１を備え、被覆部５４１と被覆部５４１の間にはリブ５４３が設けられている。これらの箇所は、フランジ部３３３よりも＋Ｚ方向に突出している。従って、端子保持部５２の上に掛かった液体がコイルボビン３３側へ侵入するおそれを少なくすることができる。
【００６３】
本形態の端子保持部５２は、水抜き孔として機能する位置決め孔５３９を備え、位置決め部５３９と重なる位置に設けられた補強部２１８に貫通部２１９が形成されているので、端子保持部５２に掛かった水を位置決め孔５３９および貫通部２１９から排出できる。従って、液体が端子６０と接触するおそれを少なくすることができる。
【符号の説明】
【００６４】
１…排水弁駆動装置、２…ギアードモータ、１０…ワイヤ、１１…プーリ、１２…被覆ケース、１３、１４…固定ねじ、２０…外側ケース、２１…第１ケース、２２…第２ケース、３０…モータ部、３１…モータケース、３２…カバープレート、３３…コイルボビン、３４…ステータコイル、３５…ロータ、３６…ボビンケース、４０…伝達輪列、４１…出力ピニオン、４２…遊星歯車機構、４３…減速ギア列、４４…出力ギア、５０…端子部、５１…端子収容部、５２…端子保持部、５３…端子台、５３ａ…第１側面、５３ｂ…第２側面、５３ｃ…第３側面、上端面…５３ｄ、傾斜面…５３ｅ、５４…端子カバー、６０…端子、６１…基端部、６２…コイル線接続部、６３…連結部、６４…コネクタ接続部、２１１…底板、２１２…側板、２１３…円形凹部、２１４…位置決めピン、２１５…第１張り出し部、２１５ａ…第１側板、２１５ｂ…第２側板、２１５ｃ…第３側板、２１６…係合突起、２１７…開口、２１８…補強部、２１８ａ、２１８ｂ…補強板、２１８ｃ…連結部、２１９…貫通部、２２１…上板、２２２…側板、２２３…第２張り出し部、２２４…フック、３１１、３１２…切り欠き、３１３…極歯、３２１…円板部、３２２…貫通穴、３２３…切り欠き、３２４…固定部、３２５…位置決め孔、３２６…極歯、３３１…胴部、３３２…フランジ部、３３３…フランジ部、３５１…固定軸、３５２…マグネット、３５３…誘導回転体、３５３ａ…金属部、３５３ｂ…樹脂部、３５４…軸部、３６１…筒状部、３６２…環状部、５３１…端子取り付け部、５３２…開口、５３３…連結部、５３４…連結部、５３５…リブ、５３６…貫通孔、５３７…端子挿入口、５３８…端子案内部、５３９…位置決め孔、５４１…被覆部、５４２…凹部、５４３…リブ、５４４…溝部、５４９…絡げピン、Ｇ…隙間、Ｘ…第１方向、Ｙ…第２方向、Ｚ…第３方向
【図１】
2018026938.tif 000003
【図２】
2018026938.tif 000004
【図３】
2018026938.tif 000005
【図４】
2018026938.tif 000006
【図５】
2018026938.tif 000007
【図６】
2018026938.tif 000008
【図７】
2018026938.tif 000009
【図８】
2018026938.tif 000010
【図９】
2018026938.tif 000011